(57)【要約】  本発明は、メッセージ表示方法、メッセージ表示装置及び端末装置を提供し、当該方法は、メッセージ表示画面に対する、２つの端点を含む第１の所定ジェスチャーを検出するステップと、メッセージ表示画面における、前記２つの端点の間のメッセージを処理するステップとを備える。本発明は、メッセージ表示画面における所定ジェスチャーを検出することによって、メッセージ表示画面に表示されるメッセージを処理し、ユーザーにメッセージ表示を柔軟に処理する手段を提供する。【選択図】図１
2016500177.tif 000002
【特許請求の範囲】
【請求項１】
メッセージ表示画面に対する、２つの端点を含む第１の所定ジェスチャーを検出するステップと、
前記メッセージ表示画面における、前記２つの端点の間のメッセージを処理するステップと、
を含むことを特徴とするメッセージ表示方法。
【請求項２】
前記第１の所定ジェスチャーは、ピンチインジェスチャー、２本の指によるタップジェスチャー、又は単方向へのスライドジェスチャーを含むことを特徴とする請求項１に記載の方法。
【請求項３】
前記メッセージ表示画面における、前記２つの端点の間のメッセージに対して行う処理は、
前記メッセージ表示画面における、前記２つの端点の間のメッセージを非表示にする処理、
前記メッセージ表示画面における、前記２つの端点の間のメッセージを削除する処理、又は、
前記メッセージ表示画面における、前記２つの端点の間のメッセージを一括表示する処理、
を含むことを特徴とする請求項１に記載の方法。
【請求項４】
前記メッセージ表示画面における、前記２つの端点の間のメッセージを非表示にする処理は、前記メッセージ表示画面における、前記２つの端点の間のメッセージを畳んで表示する処理を含むことを特徴とする請求項３に記載の方法。
【請求項５】
前記メッセージ表示画面における、前記２つの端点の間のメッセージに対して行う処理が前記メッセージ表示画面における、前記２つの端点の間のメッセージを非表示にする処理である場合、前記方法は、さらに、
非表示処理された後の前記メッセージ表示画面に対する第２の所定ジェスチャーを受けるステップと、
前記メッセージ表示画面から非表示されたメッセージを表示するステップと、
を含むことを特徴とする請求項３に記載の方法。
【請求項６】
前記第２の所定ジェスチャーは、ピンチアウトジェスチャー、タップジェスチャー、又は長時間タッチジェスチャーを含むことを特徴とする請求項５に記載の方法。
【請求項７】
メッセージ表示画面に対する、２つの端点を含む第１の所定ジェスチャーを検出するための第１の検出モジュールと、
前記メッセージ表示画面における、前記２つの端点の間のメッセージを処理するための第１の処理モジュールと、
を備えることを特徴とするメッセージ表示装置。
【請求項８】
前記第１の所定ジェスチャーは、ピンチインジェスチャー、２本の指によるタップジェスチャー、又は単方向へのスライドジェスチャーを含むことを特徴とする請求項７に記載の装置。
【請求項９】
前記第１の処理モジュールは、
前記メッセージ表示画面における、前記２つの端点の間のメッセージを非表示にするための第１の処理ユニット、
前記メッセージ表示画面における、前記２つの端点の間のメッセージを削除するための第２の処理ユニット、又は、
前記メッセージ表示画面における、前記２つの端点の間のメッセージを一括表示するための第３の処理ユニット、
を備えることを特徴とする請求項７に記載の装置。
【請求項１０】
前記第１の処理ユニットは、前記メッセージ表示画面における、前記２つの端点の間のメッセージを畳んで表示するためのものであることを特徴とする請求項９に記載の装置。
【請求項１１】
前記装置は、さらに、
非表示処理された後の前記メッセージ表示画面に対する第２の所定ジェスチャーを検出するための第２の検出モジュールと、
前記メッセージ表示画面から非表示されたメッセージを表示するための第２の処理モジュールと、
を備えることを特徴とする請求項９に記載の装置。
【請求項１２】
前記第２の所定ジェスチャーは、ピンチアウトジェスチャー、タップジェスチャー、又は長時間タッチジェスチャーを含むことを特徴とする請求項１１に記載の装置。
【請求項１３】
メモリと、
前記メモリに記憶され、１つ又は１つ以上のプロセッサにより実行される１つ又は１つ以上のプログラムと、を含み、
前記１つ又は１つ以上のプログラムは、
メッセージ表示画面に対する、２つの端点を含む第１の所定ジェスチャーを検出する操作と、
前記メッセージ表示画面における、前記２つの端点の間のメッセージを処理する操作と、
を実行する指令を含むことを特徴とする端末装置。
【発明の詳細な説明】
【技術分野】
【０００１】
本発明は、端末技術分野に関し、より具体的には、メッセージ表示方法、メッセージ表示装置及び端末装置に関する。
【背景技術】
【０００２】
情報化社会において、メッセージは、人間にとって最も主要、且つ重要なコミュニケーション手段であり、コンピュータ、モバイル端末（ｍｏｂｉｌｅ ｔｅｒｍｉｎａｌ）及びネットワークで用いられている様々なソーシャルコミュニケーションツールに使用され、例えば、コンピュータにおけるメッセージは、コンピュータにインストールされたインスタントメッセージソフトウェアのチャット・メッセージ、メール・クライアントのメールメッセージ等を含み、モバイル端末におけるメッセージは、ＳＭＳ、ＭＭＳ、インスタントメッセージクライアントのメッセージ、メール・クライアントのメール等を含み、ネットワークにおいてもウェブページでのチャットによるメッセージがある。
【０００３】
メッセージ表示方法は、受信されたメッセージが時間順にメッセージ表示画面で逐一表示され、そして、ユーザーにより１つのメッセージが選択された後、メッセージ表示画面にユーザーの選択したメッセージが表示される方法と、連絡先別に受送信したメッセージが表示され、このとき、メッセージ表示画面にメッセージのやり取りをした連絡先が表示され、そして、ユーザーによりある連絡先が選択された後、メッセージ表示画面で時間順にユーザーと当該連絡先との間の受送信メッセージが表示されるというよくある方法とを含む。
【０００４】
しかしながら、このようなメッセージ表示方法は、時間順にメッセージを表示するしかできず、ユーザーにメッセージに対する処理を提供することができない。
【発明の概要】
【課題を解決するための手段】
【０００５】
上記の内容に鑑み、本発明は、ユーザーへメッセージに対する処理を提供できるメッセージ表示方法、メッセージ表示装置及び端末装置を提供することが目的である。
本発明の実施例に係る第１の形態によれば、本発明は、メッセージ表示方法を提供し、当該方法は、
メッセージ表示画面に対する、２つの端点を含む第１の所定ジェスチャーを検出するステップと、
メッセージ表示画面における前記２つの端点の間のメッセージを処理するステップと、を含む。
【０００６】
本発明の実施例に係る技術的解決策は、次のような有益な効果を含む。本発明において、メッセージ表示画面における所定ジェスチャーを検出し、メッセージ表示画面に表示されたメッセージを処理することによって、ユーザーにメッセージ表示を柔軟に処理する手段を提供する。
【０００７】
一実施例において、前記第１の所定ジェスチャーは、ピンチインジェスチャー、２本の指によるタップジェスチャー、又は単方向へのスライドジェスチャーを含む。
【０００８】
一実施例において、メッセージ表示画面における、前記２つの端点の間のメッセージに対して行う処理は、
メッセージ表示画面における、前記２つの端点の間のメッセージを非表示にする処理、
メッセージ表示画面における、前記２つの端点の間のメッセージを削除する処理、又は、
メッセージ表示画面における、前記２つの端点の間のメッセージを一括表示する処理、を含む。
【０００９】
一実施例において、前記メッセージ表示画面における、前記２つの端点の間のメッセージを非表示にする処理は、メッセージ表示画面における、前記２つの端点の間のメッセージを畳んで表示する処理を含む。
【００１０】
一実施例において、メッセージ表示画面における、前記２つの端点の間のメッセージに対して行う処理がメッセージ表示画面における、前記２つの端点の間のメッセージを非表示にする処理の場合、前記方法は、さらに、
非表示処理された後のメッセージ表示画面に対する第２の所定ジェスチャーを受けるステップと、
メッセージ表示画面から非表示されたメッセージを表示するステップと、を含む。
【００１１】
一実施例において、前記第２の所定ジェスチャーは、ピンチアウトジェスチャー、タップジェスチャー、又は長時間タッチジェスチャーを含む。
【００１２】
本発明の実施例に係る第２の形態によれば、本発明は、さらに、メッセージ表示装置を提供し、前記装置は、
メッセージ表示画面に対する、２つの端点を含む第１の所定ジェスチャーを検出するための第１の検出モジュールと、
メッセージ表示画面における、前記２つの端点の間のメッセージを処理するための第１の処理モジュールと、を備える。
【００１３】
一実施例において、前記第１の所定ジェスチャーは、ピンチインジェスチャー、２本の指によるタップジェスチャー、又は単方向へのスライドジェスチャーを含む。
【００１４】
一実施例において、前記第１の処理モジュールは、
メッセージ表示画面における、前記２つの端点の間のメッセージを非表示にするための第１の処理ユニット、
メッセージ表示画面における、前記２つの端点の間のメッセージを削除するための第２の処理ユニット、又は、
メッセージ表示画面における、前記２つの端点の間のメッセージを一括表示するための第３の処理ユニット、を備える。
【００１５】
一実施例において、前記第１の処理ユニットは、メッセージ表示画面における、前記２つの端点の間のメッセージを畳んで表示するためのものである。
【００１６】
一実施例において、前記装置は、さらに、
非表示処理された後のメッセージ表示画面に対する第２の所定ジェスチャーを検出するための第２の検出モジュールと、
メッセージ表示画面から、非表示にされたメッセージを表示するための第２の処理モジュールと、を備える。
【００１７】
一実施例において、前記第２の所定ジェスチャーは、ピンチアウトジェスチャー、タップジェスチャー、又は長時間タッチジェスチャーを含む。
【００１８】
本発明の実施例の第３の形態によれば、本発明は、さらに、端末装置を提供し、前記端末装置は、
メモリと、
メモリに記憶され、１つ又は１つ以上のプロセッサにより実行される１つ又は１つ以上のプログラムと、を含み、
前記１つ又は１つ以上のプログラムは、
メッセージ表示画面に対する、２つの端点を含む第１の所定ジェスチャーを受けて、検出する操作と、
メッセージ表示画面における、前記２つの端点の間のメッセージを処理する操作と、
を実行する指令を含む。
【００１９】
本発明の他の特徴及び利点は、この後の明細書で記載され、また、一部が明細書から自明になり、又は、本発明を実施することにより明確になる。本発明の目的及び他の利点は、公開の明細書、特許請求の範囲、及び図面で特別に指摘した構造により実現、及び取得される。
【００２０】
以上の一般的な記述及び以下の詳細な記述は、例示的なものに過ぎず、本発明を限定するものではないと理解すべきである。以下、添付図面及び実施例を用いて、本発明の技術的解決策について詳細に説明する。
【図面の簡単な説明】
【００２１】
ここでの図面は、本明細書の一部として、本発明に適切な実施例を示し、明細書と合わせて本発明の原理を解釈する。
【００２２】
添付の図面は、本発明を更に理解するために提供されたものであり、明細書の一部として、本発明の実施例とともに本発明を解釈するが、本発明を制限するものではない。
【００２３】
【図１】例示的な一実施例におけるメッセージ表示方法のフローチャートである。
【図２】例示的な他の実施例におけるメッセージ表示方法のフローチャートである。
【図３】例示的な実施例における、連絡先を単位とするメッセージ表示画面を模式的に示す図である。
【図４】例示的な実施例における、図３におけるメッセージ表示画面に対するピンチインジェスチャーを模式的に示す図である。
【図５】例示的な実施例における、図３におけるメッセージを非表示した後のメッセージ表示画面を模式的に示す図である。
【図６】例示的な実施例における、図３におけるメッセージ表示画面に対する２本の指によるタップジェスチャーを模式的に示す図である。
【図７】例示的な実施例における、図３におけるメッセージ表示画面に対するスライドジェスチャーを模式的に示す図である。
【図８】例示的な実施例における一実施例のフローチャートである。
【図９】例示的な実施例における、ある連絡先との具体的なメッセージを表示するメッセージ表示画面を模式的に示す図である。
【図１０】例示的な実施例における、図９におけるメッセージ表示画面に対するピンチインジェスチャーを模式的に示す図である。
【図１１】例示的な実施例における、図９におけるメッセージを非表示した後のメッセージ表示画面を模式的に示す図である。
【図１２】例示的な実施例における、図９におけるメッセージを一括表示するメッセージ表示画面を模式的に示す図である。
【図１３】例示的な実施例における、メッセージ表示画面に対するピンチジェスチャーを模式的に示す図である。
【図１４】例示的な実施例における、図１３におけるメッセージを一括表示するイメージ図である。
【図１５】例示的な実施例における、図１０におけるメッセージを畳んで表示するメッセージ表示画面を模式的に示す図である。
【図１６】例示的な実施例における、図１５におけるメッセージ表示画面に対するピンチアウトジェスチャーを模式的に示す図である。
【図１７】例示的な実施例における、図１５におけるメッセージ表示画面に対するタップジェスチャー、又は長時間タッチジェスチャーを模式的に示す図である。
【図１８】例示的な実施例における、メッセージを部分的に表示する方法のフローチャートである。
【図１９】例示的な実施例における、メッセージを数ページに分けて表示する場合の第１ページである。
【図２０】例示的な実施例における、ユーザーのスライドジェスチャーを検出する模式的な図である。
【図２１】例示的な実施例における、ユーザーのスライドジェスチャーに従いページをめくる模式的な図である。
【図２２】例示的な実施例における、ページをめくる操作を行った後に表示されるメッセージの第２ページである。
【図２３】例示的な実施例における、メッセージ表示装置を模式的に示すブロック図である。
【図２４】例示的な他の実施例における、メッセージ表示装置を模式的に示すブロック図である。
【図２５】例示的な実施例における端末装置を模式的に示すブロック図である。
【００２４】
本発明について、上記図面で明確な実施例を示し、後述でより詳細に説明する。これらの図面及び記述は、何らかの方法で本発明の思想の範囲を制限するのではなく、特定な実施例を参照することで当業者に本発明のコンセプトを説明するためのものである。
【発明を実施するための形態】
【００２５】
以下、本発明の目的、技術的解決策及び利点をより明瞭にするために、実施形態及び図面を併せて、本発明について更に詳細に説明する。ここで、本発明の模式的な実施形態及びその説明は、本発明を解釈するためのものであり、本発明を制限するものではない。
【００２６】
本発明の実施例は、メッセージ表示方法を提供し、以下、図面を参照し、本発明を詳細に説明する。
【００２７】
一実施例において、図１に示されるように、メッセージ表示方法は、以下のステップを備える。
【００２８】
ステップＳ１０１：メッセージ表示画面に対する、２つの端点を含む第１の所定ジェスチャーを検出する。
【００２９】
ここで、第１の所定ジェスチャーは、ピンチインジェスチャー、２本の指によるタップジェスチャー、又は単方向へのスライドジェスチャーを含む。
【００３０】
第１の所定ジェスチャーがピンチインジェスチャーである場合には、２本の指の始点が２つの端点の位置である。第１の所定ジェスチャーが２本の指によるタップジェスチャーである場合には、２本の指のタップする箇所が２つの端点の位置である。第１の所定ジェスチャーが単方向へのスライドジェスチャーである場合には、スライドジェスチャーの始点と終点が２つの端点の位置である。
【００３１】
ステップＳ１０２：メッセージ表示画面における前記２つの端点の間のメッセージを処理する。
【００３２】
ここで、処理の形態は、例えば、メッセージ表示画面における前記２つの端点の間のメッセージを非表示にしてもよく、メッセージ表示画面における前記２つの端点の間のメッセージを削除してもよく、又は、メッセージ表示画面における前記２つの端点の間のメッセージの中のスペース或いはキャリッジ・リターン記号を削除してもよいが、これらに限定されない。
【００３３】
本発明に係るメッセージ表示方法は、メッセージ表示画面上の所定ジェスチャーを検出することで、メッセージ表示画面に表示されるメッセージを処理し、メッセージ表示を柔軟に処理する手段をユーザーに提供する。
【００３４】
図２は、本発明に係るメッセージ表示方法の他の実施例を示す。当該実施例において、ピンチインジェスチャーを受けてメッセージを非表示にすることを例として、本発明に係るメッセージ表示方法を説明する。当該方法は、以下のステップを備える。
【００３５】
ステップＳ２０１：連絡先を単位とするメッセージ表示画面を表示する。
【００３６】
図３に示されるように、本実施例において、メッセージ表示画面に、ユーザーとメッセージをやり取りした連絡先のリストが表示される。
【００３７】
ステップＳ２０２：メッセージ表示画面に対するピンチインジェスチャーを検出したか否かを判定し、検出したと判定した場合にステップＳ２０３を実行し、検出していないと判定する場合に終了する。
【００３８】
ステップＳ２０３：ピンチインジェスチャーの２つの端点を取得する。
【００３９】
図４は、メッセージ表示画面に対するピンチインジェスチャーの模式的な図であり、２本の指の開始位置が２つの端点Ａ、Ｂである。
【００４０】
ステップＳ２０４：メッセージ表示画面における２つの端点の間のメッセージを確定する。
【００４１】
本実施例において、端点Ａの対応するメッセージが連絡先２に関するメッセージであり、端点Ｂの対応するメッセージが連絡先４に関するメッセージであり、これにより、端点Ａと端点Ｂとの間のメッセージは連絡先２から連絡先４までのメッセージである。
【００４２】
ステップＳ２０５：メッセージ表示画面において、２つの端点の間のメッセージを非表示にする。
【００４３】
図５は、端点Ａと端点Ｂとの間のメッセージが非表示のメッセージ表示画面を示す。
【００４４】
本発明の他の実施例において、２本の指によるタップジェスチャー又は単方向へのスライドジェスチャーを検出することによってメッセージを非表示にすることもできる。図６は、メッセージ表示画面に対する２本の指によるタップジェスチャーの模式的な図である。図６において、２本の指が同時にスクリーンをタップし、２つの端点が図示のＡとＢである。その後、当該ＡとＢとの間のメッセージが非表示にされ、非表示された後のイメージ図は、図５に示される。図７は、メッセージ表示画面に対する単方向へのスライドジェスチャーの模式的な図であり、単方向へのスライドジェスチャーの方向が図における矢印で示され、単方向へのスライドジェスチャーの始点と終点がそれぞれ端点Ａと端点Ｂである。その後、当該ＡとＢとの間のメッセージが非表示にされ、非表示された後のイメージ図は、図５に示される。
【００４５】
本実施例において、ピンチジェスチャーによって連絡先を単位とするメッセージをメッセージ表示画面で非表示にすることが可能であり、これにより、ユーザーは、重要でない、読みたくない、又は、過去の連絡先のメッセージを非表示し、自分の読みたい連絡先とのメッセージをより便利且つ速やかに読むことができる。
【００４６】
本発明の他の実施例において、図８に示されるように、具体的なメッセージの内容をメッセージ表示画面で表示する当該メッセージ表示方法を実現する。当該方法は、以下のステップを備える。
【００４７】
ステップＳ８０１：連絡先１とのメッセージ内容に関するメッセージ表示画面を表示する。
【００４８】
本実施例では、図９に示されるように、メッセージ表示画面に、ユーザーが連絡先１とやり取りしたメッセージは、時間順に表示される。ここで、メッセージ１、メッセージ２、メッセージ３、及びメッセージ６は、ユーザーが受信した連絡先１からのメッセージであり、メッセージ４とメッセージ５は、ユーザーから連絡先１へ送信したメッセージである。
【００４９】
ステップＳ８０２：メッセージ表示画面に対するピンチインジェスチャーを検出したか否かを判定し、検出したと判定する場合にステップＳ８０３を実行し、検出していないと判定する場合に終了にする。
【００５０】
ステップＳ８０３：ピンチインジェスチャーの２つの端点を取得する。
【００５１】
図１０は、メッセージ表示画面に対するピンチインジェスチャーの模式的な図であり、２本の指の開始位置は、２つの端点Ａ、Ｂである。
【００５２】
ステップＳ８０４：メッセージ表示画面における２つの端点の間のメッセージを確定する。
【００５３】
本実施例において、端点Ａの対応するメッセージはメッセージ１であり、端点Ｂの対応するメッセージはメッセージ３であり、これにより、端点Ａと端点Ｂとの間のメッセージはメッセージ１〜メッセージ３である。
【００５４】
ステップＳ８０５：メッセージ表示画面で、２つの端点の間のメッセージを非表示にする。
【００５５】
図１１は、端点Ａと端点Ｂとの間のメッセージが非表示にされた後のメッセージ表示画面を示す。
【００５６】
本発明の他の実施例において、２本の指によるタップジェスチャー、又は単方向へのスライドジェスチャーを受けることによっても、メッセージ内容を非表示にすることができる。
【００５７】
本実施例において、メッセージの内容を表示するメッセージ表示画面におけるメッセージを、ピンチジェスチャーによって非表示にすることが可能であり、これにより、ユーザーは、重要でない、又は、読みたくないメッセージを非表示し、自分の読みたいメッセージをより便利且つ速やかに読むことができる。
【００５８】
本発明の他の実施例において、メッセージ内容を表示するメッセージ表示画面で当該メッセージを表示する方法を実現する場合、第１の所定ジェスチャーの２つの端点が同じメッセージに接する（対応する）と、当該メッセージ内の、２つの端点の間の内容を非表示にする。
【００５９】
本発明の他の実施例において、メッセージ表示画面における２つの端点の間のメッセージを非表示にする処理以外、２つの端点の間のメッセージを直接に削除、又は、２つの端点の間のメッセージを一括表示することもできる。
【００６０】
図１２は、図１０に示したピンチジェスチャーを検出した後、メッセージ１、メッセージ２及びメッセージ３を一括表示する模式的な図である。図１３及び図１４は、１つの例を示し、図１３は、当該メッセージ表示画面のピンチジェスチャーを示し、図１４は、ピンチジェスチャーを検出した後、図１３におけるメッセージを一括表示するイメージ図である。図１３、図１４の例を通じて、本実施例の有益な効果をより明確に表現でき、メッセージを一括表示することによりメッセージ表示画面を簡潔にすることができ、ユーザーが閲覧しやすくなることがある。
【００６１】
本発明の他の実施例において、メッセージを非表示にする場合、畳んで表示する方法を採用できる。図１５は、図１０におけるメッセージ１、メッセージ２及びメッセージ３を畳んで表示する模式的なイメージ図である。
【００６２】
メッセージを非表示にする処理を行う場合には、検出された第２の所定ジェスチャーに従い、非表示されたメッセージを表示することもできる。ここで、第２の所定ジェスチャーは、例えば、ピンチアウトジェスチャー、タップジェスチャー、又は長時間タッチジェスチャーである。図１６は、図１５に示したメッセージ表示画面に対するピンチアウトジェスチャーの模式的な図である。図１７は、図１５に示したメッセージ表示画面に対するタップ又は長時間タッチジェスチャーの模式的な図である。図１６又は図１７に示した第２の所定ジェスチャーを受けた後、図１５に示したメッセージ表示画面は、図９に示したメッセージ表示画面に切り替わる。
【００６３】
本発明の他の実施例において、メッセージの長さがスクリーンの表示寸法を超えると、まず、メッセージを数ページに分けて表示することができる。図１８に示されるように、以下のステップを備える。
【００６４】
Ｓ１８０１：表示しようとするメッセージの長さが所定閾値を超えたか否かを判定し、超えたと判定する場合にステップＳ１８０２を実行し、超えていないと判定する場合に終了する。
【００６５】
ここで、メッセージは、文字だけでなく、写真及びビデオも含む。
【００６６】
所定閾値は、端末画面の現在の分解能で表示可能な文字数又は面積として設定されることができる。
【００６７】
Ｓ１８０２：表示しようとするメッセージの所定部分を抽出して表示する。
【００６８】
当該所定部分は、予め設定可能であり、例えば、メッセージが文字である場合に当該メッセージの第１行の内容だけを表示する。当該メッセージが写真である場合に当該写真の最初の１０画素×１０画素の部分だけを表示する。
【００６９】
Ｓ１８０３：表示しようとするメッセージを表示する。
【００７０】
本発明の他の実施例において、表示しようとするメッセージの残りの部分を数ページで表示可能であり、ユーザーのスライドジェスチャー又はタップジェスチャーを検出することによってページをめくって表示をする。図１９は、表示しようとするメッセージを分割した後の第１ページであり、図２０は、ユーザーのスライドジェスチャーを検出する模式的な図であり、図２１は、ユーザーのスライドジェスチャーに従いページをめくる模式的な図であり、図２２は、ページをめくる操作を行った後に表示されるメッセージの第２ページである。
【００７１】
ページ別に表示されるメッセージ表示画面に対しても、同様に、上記のように、２つの端点を含む第１の所定ジェスチャーを検出して、そして、メッセージ表示画面における前記２つの端点の間のメッセージを処理する操作を行うことができる。
【００７２】
本発明は、さらに、メッセージ表示装置を提供し、図２３に示されるように、前記装置は、
メッセージ表示画面に対する、２つの端点を含む第１の所定ジェスチャーを検出するための第１の検出モジュール２３０１と、
メッセージ表示画面における前記２つの端点の間のメッセージを処理するための第１の処理モジュール２３０２と、を備える。
【００７３】
ここで、第１の所定ジェスチャーは、ピンチインジェスチャー、２本の指によるタップジェスチャー、又はスライドジェスチャーを含む。
【００７４】
第１の処理モジュール２３０２は、
メッセージ表示画面における、前記２つの端点の間のメッセージを非表示にするための第１の処理ユニット、又は、
メッセージ表示画面における、前記２つの端点の間のメッセージを削除するための第２の処理ユニット、又は、
メッセージ表示画面における、前記２つの端点の間のメッセージを一括表示するための第３の処理ユニットを、備える。
【００７５】
第１の処理ユニットは、メッセージ表示画面における前記２つの端点の間のメッセージを畳んで表示するためのものである。
【００７６】
図２４に示されるように、前記装置は、さらに、
非表示処理された後のメッセージ表示画面に対する、第２の所定ジェスチャーを検出するための第２の検出モジュール２３０３と、
メッセージ表示画面から、非表示処理されたメッセージを表示するための第２の処理モジュール２３０４と、を備える。
【００７７】
第２の所定ジェスチャーは、ピンチアウトジェスチャー、タップジェスチャー、又は長時間タッチジェスチャーを含む。
【００７８】
本発明は、さらに、端末装置を提供する。図２５を参照して、当該端末装置は、上記の実施例により提供される会話取得の処理方法を実施するのに用いられる。ここで、当該端末装置は、携帯電話、タブレットＰＣ（ｐａｄ）、着用型のモバイルデバイス（例えば、スマートウォッチ）等である。
【００７９】
端末装置７００は、通信ユニット１１０、コンピュータが読み取り可能な記録媒体を一つ以上含むメモリ１２０、入力ユニット１３０、表示ユニット１４０、センサー１５０、オーディオ回路１６０、ＷｉＦｉ（ｗｉｒｅｌｅｓｓ ｆｉｄｅｌｉｔｙ）モジュール（無線通信ユニット）１７０、一つ以上の処理コアを有するプロセッサ１８０、及び電源１９０などの部品を含む。当業者は、図２５に示す端末装置の構成は端末装置に対する限定ではなく、当該端末装置が、図示した部品より多い数、または少ない数の部品を備えてもよく、或いは、幾つかの部品の組み合わせ、または異なる部品配置を有してもよい、ことを理解すべきである。
【００８０】
ここで、通信ユニット１１０は、通話中において、情報の受信及び送信または信号を受信及び送信するためのものである。当該通信ユニット１１０は、ＲＦ（Ｒａｄｉｏ  Ｆｒｅｑｕｅｎｃｙ）回路、ルーター、モデム等のネットワーク通信装置であってもよい。特に、通信ユニット１１０がＲＦ回路である場合、基地局からの下り情報を受信した後、１つ、或いは１つ以上のプロセッサ１８０に渡して処理させる。また、上りデータを基地局に送信する。一般的に、通信ユニットとしてのＲＦ回路は、アンテナ、少なくとも１つのアンプ、チューナー、１つ又は複数の発振器、加入者識別モジュール（ＳＩＭ）カード、受発信機、カプラー、ＬＮＡ（Ｌｏｗ Ｎｏｉｓｅ Ａｍｐｌｉｆｉｅｒ、ローノイズアンプ）、デュプレクサ等を含むが、これらに限らない。なお、通信ユニット１１０は、無線通信でネットワーク、及び他の装置と通信することができる。上記無線通信として、ＧＳＭ（Ｇｌｏｂａｌ Ｓｙｓｔｅｍ ｏｆ Ｍｏｂｉｌｅ ｃｏｍｍｕｎｉｃａｔｉｏｎ）（登録商標）、ＧＰＲＳ（Ｇｅｎｅｒａｌ Ｐａｃｋｅｔ Ｒａｄｉｏ Ｓｅｒｖｉｃｅ）、ＣＤＭＡ（Ｃｏｄｅ Ｄｉｖｉｓｉｏｎ Ｍｕｌｔｉｐｌｅ Ａｃｃｅｓｓ）、ＷＣＤＭＡ（Ｗｉｄｅｂａｎｄ Ｃｏｄｅ Ｄｉｖｉｓｉｏｎ Ｍｕｌｔｉｐｌｅ Ａｃｃｅｓｓ）（登録商標）、ＬＴＥ（Ｌｏｎｇ Ｔｅｒｍ Ｅｖｏｌｕｔｉｏｎ）、電子メール、ＳＭＳ（Ｓｈｏｒｔ  Ｍｅｓｓａｇｉｎｇ Ｓｅｒｖｉｃｅ）等を含む任意の通信規格またはプロトコルを利用してもよいが、これらに限らない。メモリ１２０は、ソフトウェアプログラム及びモジュールを格納するためのものであり、プロセッサ１８０は、メモリ１２０に格納されたソフトウェアプログラム及びモジュールを実行することで、各種機能のアプリケーション及びデータ処理を実施する。メモリ１２０には、主に、プログラム格納領域とデータ格納領域を有する。プログラム格納領域には、ＯＳ、少なくとも１つの機能を実行するアプリケーション（例えば、音声再生機能、画像再生機能等）等が格納される。データ格納領域には、端末装置７００の使用により作成されたデータ（例えば、オーディオデータ、電話帳等）等が格納される。また、メモリ１２０は、高速ＲＡＭ（Ｒａｎｄｏｍ Ａｃｃｅｓｓ Ｍｅｍｏｒｙ）を含んでもよく、さらに、例えば少なくとも１つの磁気ディスクメモリ、フラッシュメモリなどの不揮発性メモリ、或いは他の揮発性のＳＳＤ（ｓｏｌｉｄ ｓｔａｔｅ ｄｒｉｖｅ）メモリを含んでもよい。また、メモリ１２０は、プロセッサ１８０及び入力ユニット１３０がメモリ１２０にアクセスできるように、メモリ制御器をさらに含んでもよい。
【００８１】
入力ユニット１３０は、数字或いは文字情報の入力を受け付け、及び、ユーザー設定及び機能制御に関するキーボード、マウス、ジョイスティック、光学ボールやトラックボールにより信号入力を発生させるためのものである。入力ユニット１３０は、タッチセンシティブ表面１３１及び他の入力装置１３２を含んでもよい。タッチセンシティブ表面１３１は、タッチスクリーンやトラックパッドとも呼ばれ、ユーザーがその表面上や付近に対するタッチ操作（例えば、ユーザーが指やタッチペンなどの任意の適した物や付属品を使用して、タッチセンシティブ表面１３１上やタッチセンシティブ表面１３１付近に対して行う操作）を収集するとともに、予め設定されたプログラムにしたがって、関連する接続装置を駆動する。タッチセンシティブ表面１３１は、選択的に、タッチ検出手段及びタッチ制御器の２つの部品を含んでもよい。ここで、タッチ検出手段は、ユーザーのタッチ位置を検出するとともに、タッチ操作による信号を検出し、そのタッチ情報をタッチ制御器に送信する。タッチ制御器は、タッチ検出手段からタッチ情報を受信し、当該情報を接触点座標に変換してプロセッサ１８０に送信するとともに、プロセッサ１８０からのコマンドを受信して実行する。なお、抵抗式、静電容量式、赤外線式及び表面弾性波式などの様々な方式によりタッチセンシティブ表面１３１を実現することができる。入力ユニット１３０は、タッチセンシティブ表面１３１に加えて、他の入力装置１３２をさらに含んでもよい。他の入力装置１３２は、物理的なキーボード、ファンクションキー（例えば、ボリュームボタン、スイッチボタン等）、トラックボール、マウス、ジョイスティック等の中の一つ又は複数を含んでもよいが、これらに限らない。
【００８２】
表示ユニット１４０は、ユーザーが入力した情報やユーザーに提供する情報、及び端末装置７００の各種のグラフィカル・ユーザー・インターフェース（ＧＵＩ）を表示するためのものであり、これらのグラフィカル・ユーザー・インターフェースは、図形、テキスト、アイコン、ビデオ及びそれらの任意の組合せで構成されることができる。表示ユニット１４０は、表示パネル１４１を含む。表示パネル１４１は、ＬＣＤ（Ｌｉｑｕｉｄ Ｃｒｙｓｔａｌ Ｄｉｓｐｌａｙ）、ＯＬＥＤ（Ｏｒｇａｎｉｃ Ｌｉｇｈｔ−Ｅｍｉｔｔｉｎｇ Ｄｉｏｄｅ）等で構成されてもよい。さらに、タッチセンシティブ表面１３１は、表示パネル１４１を覆うように設けられ、タッチセンシティブ表面１３１がその表面または付近に対するタッチ操作を検出すると、その検出結果をプロセッサ１８０に送信してタッチイベントのタイプを確認させ、その後、プロセッサ１８０は、タッチイベントのタイプに基づいて、表示パネル１４１上に対応する視覚的出力を提供するように構成されてもよい。図２５において、タッチセンシティブ表面１３１と表示パネル１４１とが２つの独立した部品として出力及び入力の機能を実現するように構成されているが、タッチセンシティブ表面１３１と表示パネル１４１とを集積して入力及び出力機能を実現する実施例もあり得る。
【００８３】
端末装置７００は、さらに、例えば光センサー、運動センサー及び他のセンサーなどの、少なくとも１つのセンサー１５０を含んでもよい。光センサーは、環境光センサーと近接センサーを含んでもよいが、環境光センサーは、環境光の明るさに基づいて、表示パネル１４１の輝度を調整することができ、近接センサーは、端末装置７００が耳元まで移動すると、表示パネル１４１及び／又はバックライトをオフする。運動センサーの一種としての重力加速度センサーは、各方向（一般的には、３軸）における加速度の大きさを検出することができ、静止の状態では、重力の大きさ及びその方向を検出することができるので、携帯電話の姿勢を認識するアプリケーション（例えば、画面の横縦向きの切り替え、ゲーム、磁力計の姿勢校正）、振動認識に関する機能（例えば、歩数計、パーカッション）等に使用される。端末装置７００には、さらに、ジャイロスコープ、気圧計、湿度計、温度計、赤外線センサー等のほかのセンサーが備えられるが、ここで、その具体的な説明は省略する。
【００８４】
オーディオ回路１６０、スピーカ１６１、マイク１６２は、ユーザーと端末装置７００との間のオーディオインターフェースを提供する。オーディオ回路１６０は、受信したオーディオデータから変換された電気信号をスピーカ１６１に転送し、スピーカ１６１により音声信号に変換して出力する。一方、マイク１６２は、収集した音声信号を電気信号に変換し、オーディオ回路１６０が当該電気信号を受信した後オーディオデータに変換し、オーディオデータをプロセッサ１８０に転送して処理してから、ＲＦ回路１１０を介して例えば他の端末装置に転送するか、或いはオーディオデータをメモリ１２０に送信して更に処理を行うようにする。オーディオ回路１６０は、端末装置７００が外部のイヤホンと通信できるように、イヤホン挿入孔を含んでもよい。
【００８５】
当該端末装置は、無線通信を実現するために、無線通信ユニット１７０を備えてもよい。当該無線通信ユニット１７０は、ＷｉＦｉモジュールであってもよい。ＷｉＦｉは近距離無線通信技術に属する。ユーザーに無線のブロードバンドインターネットアクセスを提供する端末装置７００は、無線通信ユニット１７０を利用して、電子メールの送受信、ウェブの閲覧、ストリーミングメディアのアクセス等を行なうことができる。図２５において、無線通信ユニット１７０を示しているが、当該無線通信ユニット１７０は、端末装置７００にとって不可欠な構成ではなく、本発明の趣旨を変更しない範囲内で必要に応じて省略することができる、ことを理解すべきである。
【００８６】
プロセッサ１８０は、端末装置７００の制御センターであり、各種のインターフェース及び回路を介して携帯電話全体の各部と接続され、メモリ１２０内に格納されたソフトウェアプログラム及び／又はモジュールを実行または作動させるとともに、メモリ１２０内に格納されたデータを呼び出すことによって、端末装置７００の各種機能の実行及びデータの処理を実現することで、携帯電話全体をコントロールする。プロセッサ１８０は、１つ又は複数の処理コアを含んでもよく、アプリケーションプロセッサを集積して構成されてもよい。ここで、アプリケーションプロセッサは、主に、ＯＳ、ユーザーインターフェース、及びアプリケーションプログラムなどを処理し、モデムプロセッサは、主に、無線通信を処理する。また、上記モデムプロセッサがプロセッサ１８０に集積されなくてもよい、ことを理解すべきである。
【００８７】
端末装置７００は、さらに、各部に電力を供給する電源１９０（例えば、バッテリー）を含み、当該電源１９０は、電源管理システムを介してプロセッサ１８０にロジック的に接続されることにより、電源管理システムを介して充電・放電管理、及び電力管理等の機能を実現することができる。電源１９０は、さらに、１つ或いは１つ以上の直流又は交流電源、再充電システム、電源故障検出回路、電源コンバータ又はインバータ、電源状態インジケータ等の任意のアセンブリを含んでもよい
【００８８】
端末装置７００は、図示していないが、カメラ、ブルートゥースモジュール等をさらに含んでもよいが、ここで、その具体的な説明は省略する。本実施例において、端末装置の表示手段は、タッチスクリーンディスプレイであり、端末装置は、さらに、メモリ、及びメモリに記憶され、且つ１つ又は１つ以上のプロセッサにより実行される１つ又は１つ以上のプログラムを備える。当該１つ又は１つ以上のプログラムは、以下の操作を行う指令を含む。
メッセージ表示画面に対する、２つの端点を含む第１の所定ジェスチャーを検出し、
メッセージ表示画面における前記２つの端点の間のメッセージを処理する。
【００８９】
これから分かるように、本発明に係るクライアントスクリプトをロードする方法、装置及び端末装置は、メッセージ表示画面に対する所定ジェスチャーを検出することによって、メッセージ表示画面に表示されているメッセージを処理し、ユーザーにメッセージ表示を柔軟に処理する手段を提供する。
【００９０】
なお、典型的には、本発明に記載のモバイル端末は、例えば携帯電話、パーソナルディジタルアシスタント（ＰＤＡ）等の各種の手持ち端末装置であってもよいため、本発明の保護範囲をある特定タイプのモバイル端末に限定すべきではない。
【００９１】
なお、本発明に係る方法は、さらに、ＣＰＵにより実行されるコンピュータプログラムとしても実現されることができる。該コンピュータプログラムがＣＰＵにより実行されると、本発明の方法において定められる上述の機能が実現される。
【００９２】
なお、上記の方法の各ステップ及びシステム要素は、コントローラ、及びコントローラに上記のステップ又は要素の機能を実現させるコンピュータプログラムを記録するためのコンピュータ読取り可能な記録媒体によりも実現されることができる。
【００９３】
なお、当業者であれば、本発明に記載のコンピュータ読取り可能な記録媒体（例えば、メモリ）は、揮発性メモリまたは不揮発性メモリのいずれかであってもよく、あるいは、揮発性メモリ及び不揮発性メモリの両方を備えてもよいことを理解すべきである。例えば、不揮発性メモリには、ＲＯＭ（Ｒｅａｄ Ｏｎｌｙ Ｍｅｍｂｅｒ）、ＰＲＯＭ（Ｐｒｏｇｒａｍｍａｂｌｅ ＲＯＭ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、又はフラッシュメモリが含まれてもよく、揮発性メモリには、外部のキャッシュメモリとして機能するＲＡＭ（Ｒａｎｄｏｍ Ａｃｃｅｓｓ Ｍｅｍｏｒｙ）が含まれてもよいが、両方ともこれに限定されないものではない。例えば、ＲＡＭは、ＳＲＡＭ(ｓｙｎｃｈｒｏｎｏｕｓ ＲＡＭ）、ＤＲＡＭ（Ｄｙｎａｍｉｃ ＲＡＭ）、ＳＤＲＡＭ（Ｓｙｎｃｈｒｏｎｏｕｓ Ｄｙｎａｍｉｃ ＲＡＭ）、ＤＤＲ ＳＤＲＡＭ（Ｄｏｕｂｌｅ−Ｄａｔａ−Ｒａｔｅ ＳＤＲＡＭ）、ＥＳＤＲＡＭ（Ｅｎｈａｎｃｅｄ ＳＤＲＡＭ）、ＳＬＤＲＡＭ（Ｓｙｎｃｈｒｏｎｏｕｓ ｌｉｎｋ ＲＡＭ）及びＤＲＲＡＭ（Ｄｉｒｅｃｔ Ｒａｍｂｕｓ ＲＡＭ）などの多くの形式により実現可能であるが、これに限定されないものではない。ここで上記の記録媒体を開示するのは、本発明の保護範囲にこれらの記録媒体及び他の適したタイプの記録媒体を含ませるためであって、これらのみに限定されないことを意図する。
【００９４】
当業者は、更に、本発明に記載の種々の例示的な論理ブロック、モジュール、回路、及びアルゴリズムステップが、電子ハードウェア、コンピュータソフトウェア、又は両者の組み合わせにより実現され得る、ことを理解すべきである。ハードウェアとソフトウェアの間のこのような互換性を明確に説明するために、種々の例示的なコンポーネント、ブロック、モジュール、回路、及びステップの機能について、以上において通常的な説明を行っている。このような機能が、ソフトウェアにより実現されるか、又は、ハードウェアにより実現されるかは、具体的なアプリケーション、及びシステム全体に課される設計上の制約により選択される。当業者は、具体的なアプリケーションそれぞれにおいて、様々な方式を選択して前記機能を実現してもよく、このような選択は、本発明の範囲を逸脱したものとして解釈されるべきではない。
【００９５】
以上の開示内容に結び付けられて説明される種々の例示的な論理ブロック、モジュール、及び回路は、上述の機能を行なうように設計された汎用プロセッサ、ＤＳＰ（Ｄｉｇｉｔａｌ Ｓｉｇｎａｌ Ｐｏｃｅｓｓｏｒ）、特定用途向け集積回路（ＡＳＩＣ）、ＦＰＧＡ（Ｆｉｅｌｄ−ｐｒｏｇｒａｍｍａｂｌｅ Ｇａｔｅ Ａｒｒａｙ）または他のプログラム可能な論理デバイス、ディスクリートゲートまたはトランジスタロジック、ディスクリートハードウェアコンポーネント、或いは、これら部材の任意の組み合わせによって、実現又は実行されることができる。汎用プロセッサは、マイクロプロセッサであってもよいが、マイクロプロセッサの代わりに、プロセッサは任意の従来のプロセッサ、コントローラ、マイクロコントローラ、又は状態機械であってもよい。プロセッサは、例えば、ＤＳＰとマイクロプロセッサの組み合わせ、複数のマイクロプロセッサ、ＤＳＰコアと１つ又は複数のマイクロプロセッサの組み合わせ、或いは任意のこのような他の構成といった、コンピューティングデバイスの組み合わせとして実現されてもよい。
【００９６】
以上の開示内容に結び付けられて説明される方法、又は、アルゴリズムのステップは、ハードウェア、プロセッサによって実行されるソフトウェアモジュール、又はこの両者の組合せに直接的に含まれる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該分野において公知の他の形態で存在する任意の記憶媒体に格納されてもよい。例示的な記憶媒体は、プロセッサが記憶媒体から情報を読み出すことができ、且つ、プロセッサが記憶媒体に情報を書き込むことができるように、プロセッサに結合される。代案として、前記記憶媒体はプロセッサと一体的に集積されてもよい。プロセッサと記憶媒体はＡＳＩＣに格納されてもよい。ＡＳＩＣはユーザー端末に格納されてもよい。代案として、プロセッサと記憶媒体は別個のコンポーネントとしてユーザー端末に格納されてもよい。
【００９７】
１つ又は複数の例示的な設計として、前記機能はハードウェア、ソフトウェア、ファームウェア又はこれらの任意の組み合わせによって実現されることができる。ソフトウェアにより実現される場合、前記機能を１つ又は複数の指令、又はコードとしてコンピュータ読取り可能な媒体に記憶するか、又は、コンピュータ読取り可能な媒体を用いて伝送する。コンピュータ読取り可能な媒体は、コンピュータ記憶媒体及び通信媒体を含み、該通信媒体には、コンピュータプログラムを１つの位置から他の位置へ伝送するための任意の媒体が含まれる。記憶媒体は、汎用又は専用コンピュータによりアクセス可能な任意の使用可能媒体であり得る。例として、当該コンピュータ読取り可能な媒体は、ＲＡＭ、ＲＯＭ、ＥＥＰＲＯＭ、ＣＤ−ＲＯＭ又は他の光ディスク記憶デバイス、ディスク記憶デバイス又は他の磁性記憶デバイスを含んでもよく、或いは、携帯できるもの、又は記憶形態が指令又はデータ構造である必要なプログラムコードを記憶するためのもので、且つ、汎用又は専用コンピュータ或いは汎用又は専用プロセッサアクセスによりアクセス可能な任意の他の媒体であり得るが、これに限定されるものではない。なお、任意の接続であっても、コンピュータ読取り可能な媒体として称されることができる。例えば、同軸ケーブル、光ファイバケーブル、ツイストペア、デジタル加入者回線（ＤＳＬ）、又は、赤外線、ワイヤレス及びマイクロ波のような無線技術を用いて、ウェブサイト、サーバ又は他のリモートソースからソフトウェアを送信する場合、上記の同軸ケーブル、光ファイバケーブル、ツイストペア、ＤＳＬ、又は、赤外線、ワイヤレス及びマイクロ波のような無線技術の何れもが媒体の定義に含まれる。以上の磁気ディスク及び光ディスクは、ＣＤ（ｃａｍｐａｃｔ ｄｉｓｋ）、レーザーディスク（登録商標）、光ディスク、ＤＶＤ（ｄｉｇｉｔａｌ ｖｅｒｓａｔｉｌｅ ｄｉｓｃ）、フロッピー・ディスク（登録商標）、ブルーレイディスクを含み、磁気ディスクは、通常磁性を利用してデータの再生を行なうものであり、光ディスクは、レーザ光を用いて光学的にデータの再生を行なうものである。また、以上の構成の組合わせもコンピュータ読取り可能な媒体の範囲に含まれるべきである。
【００９８】
以上の開示内容により、本発明の実施例を例示的に示しているが、請求項により限定される本発明の範囲を逸脱しない限り、多種の変更及び修正を行うことができる。以上に開示された実施例に基づく方法請求項の機能、ステップ及び／又はジェスチャーは、ある特定の手順で実行する必要はない。なお、本発明に係る要素は、個体として記載又は要求されているが、単数であると明確に限定されていない限り、複数であってもよい。
【００９９】
上記の具体的な実施形態において、本発明の目的、技術案及び有益な効果について更に詳細に説明しているが、上記の内容は、本発明の具体的な実施形態であって、本発明の保護範囲に対する限定ではなく、本発明の趣旨及び原則範囲内で行われる任意の修正、均等の取替、改良などは、その何れも本発明の保護範囲に含まれるべきである、ということは理解されるべきである。
【０１００】
本願は、出願番号がＣＮ２０１３１０４５６２７０．９であって、出願日が２０１３年９月２９日である中国特許出願に基づき優先権を主張し、当該中国特許出願のすべての内容を本願に援用する。
【図１】
2016500177.tif 000003
【図２】
2016500177.tif 000004
【図３】
2016500177.tif 000005
【図４】
2016500177.tif 000006
【図５】
2016500177.tif 000007
【図６】
2016500177.tif 000008
【図７】
2016500177.tif 000009
【図８】
2016500177.tif 000010
【図９】
2016500177.tif 000011
【図１０】
2016500177.tif 000012
【図１１】
2016500177.tif 000013
【図１２】
2016500177.tif 000014
【図１３】
2016500177.tif 000015
【図１４】
2016500177.tif 000016
【図１５】
2016500177.tif 000017
【図１６】
2016500177.tif 000018
【図１７】
2016500177.tif 000019
【図１８】
2016500177.tif 000020
【図１９】
2016500177.tif 000021
【図２０】
2016500177.tif 000022
【図２１】
2016500177.tif 000023
【図２２】
2016500177.tif 000024
【図２３】
2016500177.tif 000025
【図２４】
2016500177.tif 000026
【図２５】
2016500177.tif 000027
【手続補正書】
【提出日】平成26年7月31日(2014.7.31)
【手続補正１】
【補正対象書類名】明細書
【補正対象項目名】全文
【補正方法】変更
【補正の内容】
【発明の詳細な説明】
【技術分野】
【０００１】  本発明は、端末技術分野に関し、より具体的には、メッセージ表示方法、メッセージ表示装置、端末装置、プログラム及びその記録媒体に関する。
【背景技術】
【０００２】  情報化社会において、メッセージは、人間にとって最も主要、且つ重要なコミュニケーション手段であり、コンピュータ、モバイル端末（ｍｏｂｉｌｅ ｔｅｒｍｉｎａｌ）及びネットワークで用いられている様々なソーシャルコミュニケーションツールに使用され、例えば、コンピュータにおけるメッセージは、コンピュータにインストールされたインスタントメッセージソフトウェアのチャット・メッセージ、メール・クライアントのメールメッセージ等を含み、モバイル端末におけるメッセージは、ＳＭＳ、ＭＭＳ、インスタントメッセージクライアントのメッセージ、メール・クライアントのメール等を含み、ネットワークにおいてもウェブページでのチャットによるメッセージがある。【０００３】  メッセージ表示方法は、受信されたメッセージが時間順にメッセージ表示画面で逐一表示され、そして、ユーザーにより１つのメッセージが選択された後、メッセージ表示画面にユーザーの選択したメッセージが表示される方法と、連絡先別に受送信したメッセージが表示され、このとき、メッセージ表示画面にメッセージのやり取りをした連絡先が表示され、そして、ユーザーによりある連絡先が選択された後、メッセージ表示画面で時間順にユーザーと当該連絡先との間の受送信メッセージが表示されるというよくある方法とを含む。【０００４】  しかしながら、このようなメッセージ表示方法は、時間順にメッセージを表示するしかできず、ユーザーにメッセージに対する処理を提供することができない。
【発明の概要】
【課題を解決するための手段】
【０００５】  上記の内容に鑑み、本発明は、ユーザーへメッセージに対する処理を提供できるメッセージ表示方法、メッセージ表示装置及び端末装置を提供することが目的である。  本発明の実施例に係る第１の形態によれば、本発明は、メッセージ表示方法を提供し、当該方法は、  メッセージ表示画面に対する、２つの端点を含む第１の所定ジェスチャーを検出するステップと、  メッセージ表示画面における前記２つの端点の間のメッセージを処理するステップと、を含む。【０００６】  本発明の実施例に係る技術的解決策は、次のような有益な効果を含む。本発明において、メッセージ表示画面における所定ジェスチャーを検出し、メッセージ表示画面に表示されたメッセージを処理することによって、ユーザーにメッセージ表示を柔軟に処理する手段を提供する。【０００７】  一実施例において、前記第１の所定ジェスチャーは、ピンチインジェスチャー、２本の指によるタップジェスチャー、又は単方向へのスライドジェスチャーを含む。【０００８】  一実施例において、メッセージ表示画面における、前記２つの端点の間のメッセージに対して行う処理は、  メッセージ表示画面における、前記２つの端点の間のメッセージを非表示にする処理、  メッセージ表示画面における、前記２つの端点の間のメッセージを削除する処理、又は、  メッセージ表示画面における、前記２つの端点の間のメッセージを一括表示する処理、を含む。【０００９】  一実施例において、前記メッセージ表示画面における、前記２つの端点の間のメッセージを非表示にする処理は、メッセージ表示画面における、前記２つの端点の間のメッセージを畳んで表示する処理を含む。【００１０】  一実施例において、メッセージ表示画面における、前記２つの端点の間のメッセージに対して行う処理がメッセージ表示画面における、前記２つの端点の間のメッセージを非表示にする処理の場合、前記方法は、さらに、  非表示処理された後のメッセージ表示画面に対する第２の所定ジェスチャーを受けるステップと、  メッセージ表示画面から非表示されたメッセージを表示するステップと、を含む。【００１１】  一実施例において、前記第２の所定ジェスチャーは、ピンチアウトジェスチャー、タップジェスチャー、又は長時間タッチジェスチャーを含む。【００１２】  本発明の実施例に係る第２の形態によれば、本発明は、さらに、メッセージ表示装置を提供し、前記装置は、  メッセージ表示画面に対する、２つの端点を含む第１の所定ジェスチャーを検出するための第１の検出モジュールと、  メッセージ表示画面における、前記２つの端点の間のメッセージを処理するための第１の処理モジュールと、を備える。【００１３】  一実施例において、前記第１の所定ジェスチャーは、ピンチインジェスチャー、２本の指によるタップジェスチャー、又は単方向へのスライドジェスチャーを含む。【００１４】  一実施例において、前記第１の処理モジュールは、  メッセージ表示画面における、前記２つの端点の間のメッセージを非表示にするための第１の処理ユニット、  メッセージ表示画面における、前記２つの端点の間のメッセージを削除するための第２の処理ユニット、又は、  メッセージ表示画面における、前記２つの端点��間のメッセージを一括表示するための第３の処理ユニット、を備える。【００１５】  一実施例において、前記第１の処理ユニットは、メッセージ表示画面における、前記２つの端点の間のメッセージを畳んで表示するためのものである。【００１６】  一実施例において、前記装置は、さらに、  非表示処理された後のメッセージ表示画面に対する第２の所定ジェスチャーを検出するための第２の検出モジュールと、  メッセージ表示画面から、非表示にされたメッセージを表示するための第２の処理モジュールと、を備える。【００１７】  一実施例において、前記第２の所定ジェスチャーは、ピンチアウトジェスチャー、タップジェスチャー、又は長時間タッチジェスチャーを含む。【００１８】  本発明の実施例の第３の形態によれば、本発明は、さらに、端末装置を提供し、前記端末装置は、  メモリと、  メモリに記憶され、１つ又は１つ以上のプロセッサにより実行される１つ又は１つ以上のプログラムと、を含み、  前記１つ又は１つ以上のプログラムは、  メッセージ表示画面に対する、２つの端点を含む第１の所定ジェスチャーを受けて、検出する操作と、  メッセージ表示画面における、前記２つの端点の間のメッセージを処理する操作と、を実行する指令を含む。【００１９】  本発明の実施例の第４の形態によれば、本発明は、プログラムを提供し、当該プログラムは、プロセッサに実行されることにより、前記メッセージ表示方法を実現する。【００２０】  本発明の実施例の第５の形態によれば、本発明は、前記プログラムが記録された記録媒体を提供する。【００２１】  本発明の他の特徴及び利点は、この後の明細書で記載され、また、一部が明細書から自明になり、又は、本発明を実施することにより明確になる。本発明の目的及び他の利点は、公開の明細書、特許請求の範囲、及び図面で特別に指摘した構造により実現、及び取得される。【００２２】  以上の一般的な記述及び以下の詳細な記述は、例示的なものに過ぎず、本発明を限定するものではないと理解すべきである。以下、添付図面及び実施例を用いて、本発明の技術的解決策について詳細に説明する。
【図面の簡単な説明】
【００２３】  ここでの図面は、本明細書の一部として、本発明に適切な実施例を示し、明細書と合わせて本発明の原理を解釈する。【００２４】  添付の図面は、本発明を更に理解するために提供されたものであり、明細書の一部として、本発明の実施例とともに本発明を解釈するが、本発明を制限するものではない。【００２５】
【図１】例示的な一実施例におけるメッセージ表示方法のフローチャートである。
【図２】例示的な他の実施例におけるメッセージ表示方法のフローチャートである。
【図３】例示的な実施例における、連絡先を単位とするメッセージ表示画面を模式的に示す図である。
【図４】例示的な実施例における、図３におけるメッセージ表示画面に対するピンチインジェスチャーを模式的に示す図である。
【図５】例示的な実施例における、図３におけるメッセージを非表示した後のメッセージ表示画面を模式的に示す図である。
【図６】例示的な実施例における、図３におけるメッセージ表示画面に対する２本の指によるタップジェスチャーを模式的に示す図である。
【図７】例示的な実施例における、図３におけるメッセージ表示画面に対するスライドジェスチャーを模式的に示す図である。
【図８】例示的な実施例における一実施例のフローチャートである。
【図９】例示的な実施例における、ある連絡先との具体的なメッセージを表示するメッセージ表示画面を模式的に示す図である。
【図１０】例示的な実施例における、図９におけるメッセージ表示画面に対するピンチインジェスチャーを模式的に示す図である。
【図１１】例示的な実施例における、図９におけるメッセージを非表示した後のメッセージ表示画面を模式的に示す図である。
【図１２】例示的な実施例における、図９におけるメッセージを一括表示するメッセージ表示画面を模式的に示す図である。
【図１３】例示的な実施例における、メッセージ表示画面に対するピンチジェスチャーを模式的に示す図である。
【図１４】例示的な実施例における、図１３におけるメッセージを一括表示するイメージ図である。
【図１５】例示的な実施例における、図１０におけるメッセージを畳んで表示するメッセージ表示画面を模式的に示す図である。
【図１６】例示的な実施例における、図１５におけるメッセージ表示画面に対するピンチアウトジェスチャーを模式的に示す図である。
【図１７】例示的な実施例における、図１５におけるメッセージ表示画面に対するタップジェスチャー、又は長時間タッチジェスチャーを模式的に示す図である。
【図１８】例示的な実施例における、メッセージを部分的に表示する方法のフローチャートである。
【図１９】例示的な実施例における、メッセージを数ページに分けて表示する場合の第１ページである。
【図２０】例示的な実施例における、ユーザーのスライドジェスチャーを検出する模式的な図である。
【図２１】例示的な実施例における、ユーザーのスライドジェスチャーに従いページをめくる模式的な図である。
【図２２】例示的な実施例における、ページをめくる操作を行った後に表示されるメッセージの第２ページである。
【図２３】例示的な実施例における、メッセージ表示装置を模式的に示すブロック図である。
【図２４】例示的な他の実施例における、メッセージ表示装置を模式的に示すブロック図である。
【図２５】例示的な実施例における端末装置を模式的に示すブロック図である。
【００２６】  本発明について、上記図面で明確な実施例を示し、後述でより詳細に説明する。これらの図面及び記述は、何らかの方法で本発明の思想の範囲を制限するのではなく、特定な実施例を参照することで当業者に本発明のコンセプトを説明するためのものである。
【発明を実施するための形態】
【００２７】  以下、本発明の目的、技術的解決策及び利点をより明瞭にするために、実施形態及び図面を併せて、本発明について更に詳細に説明する。ここで、本発明の模式的な実施形態及びその説明は、本発明を解釈するためのものであり、本発明を制限するものではない。
【００２８】  本発明の実施例は、メッセージ表示方法を提供し、以下、図面を参照し、本発明を詳細に説明する。
【００２９】  一実施例において、図１に示されるように、メッセージ表示方法は、以下のステップを備える。
【００３０】  ステップＳ１０１：メッセージ表示画面に対する、２つの端点を含む第１の所定ジェスチャーを検出する。
【００３１】  ここで、第１の所定ジェスチャーは、ピンチインジェスチャー、２本の指によるタップジェスチャー、又は単方向へのスライドジェスチャーを含む。
【００３２】  第１の所定ジェスチャーがピンチインジェスチャーである場合には、２本の指の始点が２つの端点の位置である。第１の所定ジェスチャーが２本の指によるタップジェスチャーである場合には、２本の指のタップする箇所が２つの端点の位置である。第１の所定ジェスチャーが単方向へのスライドジェスチャーである場合には、スライドジェスチャーの始点と終点が２つの端点の位置である。
【００３３】  ステップＳ１０２：メッセージ表示画面における前記２つの端点の間のメッセージを処理する。
【００３４】  ここで、処理の形態は、例えば、メッセージ表示画面における前記２つの端点の間のメッセージを非表示にしてもよく、メッセージ表示画面における前記２つの端点の間のメッセージを削除してもよく、又は、メッセージ表示画面における前記２つの端点の間のメッセージの中のスペース或いはキャリッジ・リターン記号を削除してもよいが、これらに限定されない。
【００３５】  本発明に係るメッセージ表示方法は、メッセージ表示画面上の所定ジェスチャーを検出することで、メッセージ表示画面に表示されるメッセージを処理し、メッセージ表示を柔軟に処理する手段をユーザーに提供する。
【００３６】  図２は、本発明に係るメッセージ表示方法の他の実施例を示す。当該実施例において、ピンチインジェスチャーを受けてメッセージを非表示にすることを例として、本発明に係るメッセージ表示方法を説明する。当該方法は、以下のステップを備える。
【００３７】  ステップＳ２０１：連絡先を単位とするメッセージ表示画面を表示する。
【００３８】  図３に示されるように、本実施例において、メッセージ表示画面に、ユーザーとメッセージをやり取りした連絡先のリストが表示される。
【００３９】  ステップＳ２０２：メッセージ表示画面に対するピンチインジェスチャーを検出したか否かを判定し、検出したと判定した場合にステップＳ２０３を実行し、検出していないと判定する場合に終了する。
【００４０】  ステップＳ２０３：ピンチインジェスチャーの２つの端点を取得する。
【００４１】  図４は、メッセージ表示画面に対するピンチインジェスチャーの模式的な図であり、２本の指の開始位置が２つの端点Ａ、Ｂである。
【００４２】  ステップＳ２０４：メッセージ表示画面における２つの端点の間のメッセージを確定する。
【００４３】  本実施例において、端点Ａの対応するメッセージが連絡先２に関するメッセージであり、端点Ｂの対応するメッセージが連絡先４に関するメッセージであり、これにより、端点Ａと端点Ｂとの間のメッセージは連絡先２から連絡先４までのメッセージである。
【００４４】  ステップＳ２０５：メッセージ表示画面において、２つの端点の間のメッセージを非表示にする。
【００４５】  図５は、端点Ａと端点Ｂとの間のメッセージが非表示のメッセージ表示画面を示す。
【００４６】  本発明の他の実施例において、２本の指によるタップジェスチャー又は単方向へのスライドジェスチャーを検出することによってメッセージを非表示にすることもできる。図６は、メッセージ表示画面に対する２本の指によるタップジェスチャーの模式的な図である。図６において、２本の指が同時にスクリーンをタップし、２つの端点が図示のＡとＢである。その後、当該ＡとＢとの間のメッセージが非表示にされ、非表示された後のイメージ図は、図５に示される。図７は、メッセージ表示画面に対する単方向へのスライドジェスチャーの模式的な図であり、単方向へのスライドジェスチャーの方向が図における矢印で示され、単方向へのスライドジェスチャーの始点と終点がそれぞれ端点Ａと端点Ｂである。その後、当該ＡとＢとの間のメッセージが非表示にされ、非表示された後のイメージ図は、図５に示される。
【００４７】  本実施例において、ピンチジェスチャーによって連絡先を単位とするメッセージをメッセージ表示画面で非表示にすることが可能であり、これにより、ユーザーは、重要でない、読みたくない、又は、過去の連絡先のメッセージを非表示し、自分の読みたい連絡先とのメッセージをより便利且つ速やかに読むことができる。
【００４８】  本発明の他の実施例において、図８に示されるように、具体的なメッセージの内容をメッセージ表示画面で表示する当該メッセージ表示方法を実現する。当該方法は、以下のステップを備える。
【００４９】  ステップＳ８０１：連絡先１とのメッセージ内容に関するメッセージ表示画面を表示する。
【００５０】  本実施例では、図９に示されるように、メッセージ表示画面に、ユーザーが連絡先１とやり取りしたメッセージは、時間順に表示される。ここで、メッセージ１、メッセージ２、メッセージ３、及びメッセージ６は、ユーザーが受信した連絡先１からのメッセージであり、メッセージ４とメッセージ５は、ユーザーから連絡先１へ送信したメッセージである。
【００５１】  ステップＳ８０２：メッセージ表示画面に対するピンチインジェスチャーを検出したか否かを判定し、検出したと判定する場合にステップＳ８０３を実行し、検出していないと判定する場合に終了にする。
【００５２】  ステップＳ８０３：ピンチインジェスチャーの２つの端点を取得する。
【００５３】  図１０は、メッセージ表示画面に対するピンチインジェスチャーの模式的な図であり、２本の指の開始位置は、２つの端点Ａ、Ｂである。
【００５４】  ステップＳ８０４：メッセージ表示画面における２つの端点の間のメッセージを確定する。
【００５５】  本実施例において、端点Ａの対応するメッセージはメッセージ１であり、端点Ｂの対応するメッセージはメッセージ３であり、これにより、端点Ａと端点Ｂとの間のメッセージはメッセージ１〜メッセージ３である。
【００５６】  ステップＳ８０５：メッセージ表示画面で、２つの端点の間のメッセージを非表示にする。
【００５７】  図１１は、端点Ａと端点Ｂとの間のメッセージが非表示にされた後のメッセージ表示画面を示す。
【００５８】  本発明の他の実施例において、２本の指によるタップジェスチャー、又は単方向へのスライドジェスチャーを受けることによっても、メッセージ内容を非表示にすることができる。
【００５９】  本実施例において、メッセージの内容を表示するメッセージ表示画面におけるメッセージを、ピンチジェスチャーによって非表示にすることが可能であり、これにより、ユーザーは、重要でない、又は、読みたくないメッセージを非表示し、自分の読みたいメッセージをより便利且つ速やかに読むことができる。
【００６０】  本発明の他の実施例において、メッセージ内容を表示するメッセージ表示画面で当該メッセージを表示する方法を実現する場合、第１の所定ジェスチャーの２つの端点が同じメッセージに接する（対応する）と、当該メッセージ内の、２つの端点の間の内容を非表示にする。
【００６１】  本発明の他の実施例において、メッセージ表示画面における２つの端点の間のメッセージを非表示にする処理以外、２つの端点の間のメッセージを直接に削除、又は、２つの端点の間のメッセージを一括表示することもできる。
【００６２】  図１２は、図１０に示したピンチジェスチャーを検出した後、メッセージ１、メッセージ２及びメッセージ３を一括表示する模式的な図である。図１３及び図１４は、１つの例を示し、図１３は、当該メッセージ表示画面のピンチジェスチャーを示し、図１４は、ピンチジェスチャーを検出した後、図１３におけるメッセージを一括表示するイメージ図である。図１３、図１４の例を通じて、本実施例の有益な効果をより明確に表現でき、メッセージを一括表示することによりメッセージ表示画面を簡潔にすることができ、ユーザーが閲覧しやすくなることがある。
【００６３】  本発明の他の実施例において、メッセージを非表示にする場合、畳んで表示する方法を採用できる。図１５は、図１０におけるメッセージ１、メッセージ２及びメッセージ３を畳んで表示する模式的なイメージ図である。
【００６４】  メッセージを非表示にする処理を行う場合には、検出された第２の所定ジェスチャーに従い、非表示されたメッセージを表示することもできる。ここで、第２の所定ジェスチャーは、例えば、ピンチアウトジェスチャー、タップジェスチャー、又は長時間タッチジェスチャーである。図１６は、図１５に示したメッセージ表示画面に対するピンチアウトジェスチャーの模式的な図である。図１７は、図１５に示したメッセージ表示画面に対するタップ又は長時間タッチジェスチャーの模式的な図である。図１６又は図１７に示した第２の所定ジェスチャーを受けた後、図１５に示したメッセージ表示画面は、図９に示したメッセージ表示画面に切り替わる。
【００６５】  本発明の他の実施例において、メッセージの長さがスクリーンの表示寸法を超えると、まず、メッセージを数ページに分けて表示することができる。図１８に示されるように、以下のステップを備える。
【００６６】  Ｓ１８０１：表示しようとするメッセージの長さが所定閾値を超えたか否かを判定し、超えたと判定する場合にステップＳ１８０２を実行し、超えていないと判定する場合にステップＳ１８０３を実行する。
【００６７】  ここで、メッセージは、文字だけでなく、写真及びビデオも含む。
【００６８】  所定閾値は、端末画面の現在の分解能で表示可能な文字数又は面積として設定されることができる。
【００６９】  Ｓ１８０２：表示しようとするメッセージの所定部分を抽出して表示する。
【００７０】  当該所定部分は、予め設定可能であり、例えば、メッセージが文字である場合に当該メッセージの第１行の内容だけを表示する。当該メッセージが写真である場合に当該写真の最初の１０画素×１０画素の部分だけを表示する。
【００７１】  Ｓ１８０３：表示しようとするメッセージを表示する。
【００７２】  本発明の他の実施例において、表示しようとするメッセージの残りの部分を数ページで表示可能であり、ユーザーのスライドジェスチャー又はタップジェスチャーを検出することによってページをめくって表示をする。図１９は、表示しようとするメッセージを分割した後の第１ページであり、図２０は、ユーザーのスライドジェスチャーを検出する模式的な図であり、図２１は、ユーザーのスライドジェスチャーに従いページをめくる模式的な図であり、図２２は、ページをめくる操作を行った後に表示されるメッセージの第２ページである。
【００７３】  ページ別に表示されるメッセージ表示画面に対しても、同様に、上記のように、２つの端点を含む第１の所定ジェスチャーを検出して、そして、メッセージ表示画面における前記２つの端点の間のメッセージを処理する操作を行うことができる。
【００７４】  本発明は、さらに、メッセージ表示装置を提供し、図２３に示されるように、前記装置は、  メッセージ表示画面に対する、２つの端点を含む第１の所定ジェスチャーを検出するための第１の検出モジュール２３０１と、  メッセージ表示画面における前記２つの端点の間のメッセージを処理するための第１の処理モジュール２３０２と、を備える。
【００７５】  ここで、第１の所定ジェスチャーは、ピンチインジェスチャー、２本の指によるタップジェスチャー、又はスライドジェスチャーを含む。
【００７６】  第１の処理モジュール２３０２は、  メッセージ表示画面における、前記２つの端点の間のメッセージを非表示にするための第１の処理ユニット、又は、  メッセージ表示画面における、前記２つの端点の間のメッセージを削除するための第２の処理ユニット、又は、  メッセージ表示画面における、前記２つの端点の間のメッセージを一括表示するための第３の処理ユニットを、備える。
【００７７】  第１の処理ユニットは、メッセージ表示画面における前記２つの端点の間のメッセージを畳んで表示するためのものである。
【００７８】  図２４に示されるように、前記装置は、さらに、  非表示処理された後のメッセージ表示画面に対する、第２の所定ジェスチャーを検出するための第２の検出モジュール２３０３と、  メッセージ表示画面から、非表示処理されたメッセージを表示するための第２の処理モジュール２３０４と、を備える。
【００７９】  第２の所定ジェスチャーは、ピンチアウトジェスチャー、タップジェスチャー、又は長時間タッチジェスチャーを含む。
【００８０】  本発明は、さらに、端末装置を提供する。図２５を参照して、当該端末装置は、上記の実施例により提供されるメッセージ表示方法を実施するのに用いられる。ここで、当該端末装置は、携帯電話、タブレットＰＣ（ｐａｄ）、着用型のモバイルデバイス（例えば、スマートウォッチ）等である。
【００８１】  端末装置７００は、通信ユニット１１０、コンピュータが読み取り可能な記録媒体を一つ以上含むメモリ１２０、入力ユニット１３０、表示ユニット１４０、センサー１５０、オーディオ回路１６０、ＷｉＦｉ（ｗｉｒｅｌｅｓｓ ｆｉｄｅｌｉｔｙ）モジュール（無線通信ユニット）１７０、一つ以上の処理コアを有するプロセッサ１８０、及び電源１９０などの部品を含む。当業者は、図２５に示す端末装置の構成は端末装置に対する限定ではなく、当該端末装置が、図示した部品より多い数、または少ない数の部品を備えてもよく、或いは、幾つかの部品の組み合わせ、または異なる部品配置を有してもよい、ことを理解すべきである。
【００８２】  ここで、通信ユニット１１０は、通話中において、情報の受信及び送信または信号を受信及び送信するためのものである。当該通信ユニット１１０は、ＲＦ（Ｒａｄｉｏ  Ｆｒｅｑｕｅｎｃｙ）回路、ルーター、モデム等のネットワーク通信装置であってもよい。特に、通信ユニット１１０がＲＦ回路である場合、基地局からの下り情報を受信した後、１つ、或いは１つ以上のプロセッサ１８０に渡して処理させる。また、上りデータを基地局に送信する。一般的に、通信ユニットとしてのＲＦ回路は、アンテナ、少なくとも１つのアンプ、チューナー、１つ又は複数の発振器、加入者識別モジュール（ＳＩＭ）カード、受発信機、カプラー、ＬＮＡ（Ｌｏｗ  Ｎｏｉｓｅ  Ａｍｐｌｉｆｉｅｒ、ローノイズアンプ）、デュプレクサ等を含むが、これらに限らない。なお、通信ユニット１１０は、無線通信でネットワーク、及び他の装置と通信することができる。上記無線通信として、ＧＳＭ（Ｇｌｏｂａｌ Ｓｙｓｔｅｍ ｏｆ Ｍｏｂｉｌｅ ｃｏｍｍｕｎｉｃａｔｉｏｎ）（登録商標）、ＧＰＲＳ（Ｇｅｎｅｒａｌ Ｐａｃｋｅｔ Ｒａｄｉｏ Ｓｅｒｖｉｃｅ）、ＣＤＭＡ（Ｃｏｄｅ Ｄｉｖｉｓｉｏｎ Ｍｕｌｔｉｐｌｅ Ａｃｃｅｓｓ）、ＷＣＤＭＡ（Ｗｉｄｅｂａｎｄ Ｃｏｄｅ Ｄｉｖｉｓｉｏｎ Ｍｕｌｔｉｐｌｅ Ａｃｃｅｓｓ）（登録商標）、ＬＴＥ（Ｌｏｎｇ Ｔｅｒｍ Ｅｖｏｌｕｔｉｏｎ）、電子メール、ＳＭＳ（Ｓｈｏｒｔ  Ｍｅｓｓａｇｉｎｇ Ｓｅｒｖｉｃｅ）等を含む任意の通信規格またはプロトコルを利用してもよいが、これらに限らない。メモリ１２０は、ソフトウェアプログラム及びモジュールを格納するためのものであり、プロセッサ１８０は、メモリ１２０に格納されたソフトウェアプログラム及びモジュールを実行することで、各種機能のアプリケーション及びデータ処理を実施する。メモリ１２０には、主に、プログラム格納領域とデータ格納領域を有する。プログラム格納領域には、ＯＳ、少なくとも１つの機能を実行するアプリケーション（例えば、音声再生機能、画像再生機能等）等が格納される。データ格納領域には、端末装置７００の使用により作成されたデータ（例えば、オーディオデータ、電話帳等）等が格納される。また、メモリ１２０は、高速ＲＡＭ（Ｒａｎｄｏｍ Ａｃｃｅｓｓ Ｍｅｍｏｒｙ）を含んでもよく、さらに、例えば少なくとも１つの磁気ディスクメモリ、フラッシュメモリなどの不揮発性メモリ、或いは他の揮発性のＳＳＤ（ｓｏｌｉｄ ｓｔａｔｅ ｄｒｉｖｅ）メモリを含んでもよい。また、メモリ１２０は、プロセッサ１８０及び入力ユニット１３０がメモリ１２０にアクセスできるように、メモリ制御器をさらに含んでもよい。
【００８３】  入力ユニット１３０は、数字或いは文字情報の入力を受け付け、及び、ユーザー設定及び機能制御に関するキーボード、マウス、ジョイスティック、光学ボールやトラックボールにより信号入力を発生させるためのものである。入力ユニット１３０は、タッチセンシティブ表面１３１及び他の入力装置１３２を含んでもよい。タッチセンシティブ表面１３１は、タッチスクリーンやトラックパッドとも呼ばれ、ユーザーがその表面上や付近に対するタッチ操作（例えば、ユーザーが指やタッチペンなどの任意の適した物や付属品を使用して、タッチセンシティブ表面１３１上やタッチセンシティブ表面１３１付近に対して行う操作）を収集するとともに、予め設定されたプログラムにしたがって、関連する接続装置を駆動する。タッチセンシティブ表面１３１は、選択的に、タッチ検出手段及びタッチ制御器の２つの部品を含んでもよい。ここで、タッチ検出手段は、ユーザーのタッチ位置を検出するとともに、タッチ操作による信号を検出し、そのタッチ情報をタッチ制御器に送信する。タッチ制御器は、タッチ検出手段からタッチ情報を受信し、当該情報を接触点座標に変換してプロセッサ１８０に送信するとともに、プロセッサ１８０からのコマンドを受信して実行する。なお、抵抗式、静電容量式、赤外線式及び表面弾性波式などの様々な方式によりタッチセンシティブ表面１３１を実現することができる。入力ユニット１３０は、タッチセンシティブ表面１３１に加えて、他の入力装置１３２をさらに含んでもよい。他の入力装置１３２は、物理的なキーボード、ファンクションキー（例えば、ボリュームボタン、スイッチボタン等）、トラックボール、マウス、ジョイスティック等の中の一つ又は複数を含んでもよいが、これらに限らない。
【００８４】  表示ユニット１４０は、ユーザーが入力した情報やユーザーに提供する情報、及び端末装置７００の各種のグラフィカル・ユーザー・インターフェース（ＧＵＩ）を表示するためのものであり、これらのグラフィカル・ユーザー・インターフェースは、図形、テキスト、アイコン、ビデオ及びそれらの任意の組合せで構成されることができる。表示ユニット１４０は、表示パネル１４１を含む。表示パネル１４１は、ＬＣＤ（Ｌｉｑｕｉｄ Ｃｒｙｓｔａｌ Ｄｉｓｐｌａｙ）、ＯＬＥＤ（Ｏｒｇａｎｉｃ Ｌｉｇｈｔ−Ｅｍｉｔｔｉｎｇ Ｄｉｏｄｅ）等で構成されてもよい。さらに、タッチセンシティブ表面１３１は、表示パネル１４１を覆うように設けられ、タッチセンシティブ表面１３１がその表面または付近に対するタッチ操作を検出すると、その検出結果をプロセッサ１８０に送信してタッチイベントのタイプを確認させ、その後、プロセッサ１８０は、タッチイベントのタイプに基づいて、表示パネル１４１上に対応する視覚的出力を提供するように構成されてもよい。図２５において、タッチセンシティブ表面１３１と表示パネル１４１とが２つの独立した部品として出力及び入力の機能を実現するように構成されているが、タッチセンシティブ表面１３１と表示パネル１４１とを集積して入力及び出力機能を実現する実施例もあり得る。
【００８５】  端末装置７００は、さらに、例えば光センサー、運動センサー及び他のセンサーなどの、少なくとも１つのセンサー１５０を含んでもよい。光センサーは、環境光センサーと近接センサーを含んでもよいが、環境光センサーは、環境光の明るさに基づいて、表示パネル１４１の輝度を調整することができ、近接センサーは、端末装置７００が耳元まで移動すると、表示パネル１４１及び／又はバックライトをオフする。運動センサーの一種としての重力加速度センサーは、各方向（一般的には、３軸）における加速度の大きさを検出することができ、静止の状態では、重力の大きさ及びその方向を検出することができるので、携帯電話の姿勢を認識するアプリケーション（例えば、画面の横縦向きの切り替え、ゲーム、磁力計の姿勢校正）、振動認識に関する機能（例えば、歩数計、パーカッション）等に使用される。端末装置７００には、さらに、ジャイロスコープ、気圧計、湿度計、温度計、赤外線センサー等のほかのセンサーが備えられるが、ここで、その具体的な説明は省略する。
【００８６】  オーディオ回路１６０、スピーカ１６１、マイク１６２は、ユーザーと端末装置７００との間のオーディオインターフェースを提供する。オーディオ回路１６０は、受信したオーディオデータから変換された電気信号をスピーカ１６１に転送し、スピーカ１６１により音声信号に変換して出力する。一方、マイク１６２は、収集した音声信号を電気信号に変換し、オーディオ回路１６０が当該電気信号を受信した後オーディオデータに変換し、オーディオデータをプロセッサ１８０に転送して処理してから、ＲＦ回路１１０を介して例えば他の端末装置に転送するか、或いはオーディオデータをメモリ１２０に送信して更に処理を行うようにする。オーディオ回路１６０は、端末装置７００が外部のイヤホンと通信できるように、イヤホン挿入孔を含んでもよい。
【００８７】  当該端末装置は、無線通信を実現するために、無線通信ユニット１７０を備えてもよい。当該無線通信ユニット１７０は、ＷｉＦｉモジュールであってもよい。ＷｉＦｉは近距離無線通信技術に属する。ユーザーに無線のブロードバンドインターネットアクセスを提供する端末装置７００は、無線通信ユニット１７０を利用して、電子メールの送受信、ウェブの閲覧、ストリーミングメディアのアクセス等を行なうことができる。図２５において、無線通信ユニット１７０を示しているが、当該無線通信ユニット１７０は、端末装置７００にとって不可欠な構成ではなく、本発明の趣旨を変更しない範囲内で必要に応じて省略することができる、ことを理解すべきである。
【００８８】  プロセッサ１８０は、端末装置７００の制御センターであり、各種のインターフェース及び回路を介して携帯電話全体の各部と接続され、メモリ１２０内に格納されたソフトウェアプログラム及び／又はモジュールを実行または作動させるとともに、メモリ１２０内に格納されたデータを呼び出すことによって、端末装置７００の各種機能の実行及びデータの処理を実現することで、携帯電話全体をコントロールする。プロセッサ１８０は、１つ又は複数の処理コアを含んでもよく、アプリケーションプロセッサとモデムプロセッサを集積して構成されてもよい。ここで、アプリケーションプロセッサは、主に、ＯＳ、ユーザーインターフェース、及びアプリケーションプログラムなどを処理し、モデムプロセッサは、主に、無線通信を処理する。また、上記モデムプロセッサがプロセッサ１８０に集積されなくてもよい、ことを理解すべきである。
【００８９】  端末装置７００は、さらに、各部に電力を供給する電源１９０（例えば、バッテリー）を含み、当該電源１９０は、電源管理システムを介してプロセッサ１８０にロジック的に接続されることにより、電源管理システムを介して充電・放電管理、及び電力管理等の機能を実現することができる。電源１９０は、さらに、１つ或いは１つ以上の直流又は交流電源、再充電システム、電源故障検出回路、電源コンバータ又はインバータ、電源状態インジケータ等の任意のアセンブリを含んでもよい
【００９０】  端末装置７００は、図示していないが、カメラ、ブルートゥースモジュール等をさらに含んでもよいが、ここで、その具体的な説明は省略する。本実施例において、端末装置の表示手段は、タッチスクリーンディスプレイであり、端末装置は、さらに、メモリ、及びメモリに記憶され、且つ１つ又は１つ以上のプロセッサにより実行される１つ又は１つ以上のプログラムを備える。当該１つ又は１つ以上のプログラムは、以下の操作を行う指令を含む。  メッセージ表示画面に対する、２つの端点を含む第１の所定ジェスチャーを検出し、  メッセージ表示画面における前記２つの端点の間のメッセージを処理する。
【００９１】  これから分かるように、本発明に係るメッセージ表示方法、装置及び端末装置は、メッセージ表示画面に対する所定ジェスチャーを検出することによって、メッセージ表示画面に表示されているメッセージを処理し、ユーザーにメッセージ表示を柔軟に処理する手段を提供する。
【００９２】  なお、典型的には、本発明に記載のモバイル端末は、例えば携帯電話、パーソナルディジタルアシスタント（ＰＤＡ）等の各種の手持ち端末装置であってもよいため、本発明の保護範囲をある特定タイプのモバイル端末に限定すべきではない。
【００９３】  なお、本発明に係る方法は、さらに、ＣＰＵにより実行されるコンピュータプログラムとしても実現されることができる。該コンピュータプログラムがＣＰＵにより実行されると、本発明の方法において定められる上述の機能が実現される。
【００９４】  なお、上記の方法の各ステップ及びシステム要素は、コントローラ、及びコントローラに上記のステップ又は要素の機能を実現させるコンピュータプログラムを記録するためのコンピュータ読取り可能な記録媒体によりも実現されることができる。
【００９５】  なお、当業者であれば、本発明に記載のコンピュータ読取り可能な記録媒体（例えば、メモリ）は、揮発性メモリまたは不揮発性メモリのいずれかであってもよく、あるいは、揮発性メモリ及び不揮発性メモリの両方を備えてもよいことを理解すべきである。例えば、不揮発性メモリには、ＲＯＭ（Ｒｅａｄ Ｏｎｌｙ Ｍｅｍｂｅｒ）、ＰＲＯＭ（Ｐｒｏｇｒａｍｍａｂｌｅ ＲＯＭ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、又はフラッシュメモリが含まれてもよく、揮発性メモリには、外部のキャッシュメモリとして機能するＲＡＭ（Ｒａｎｄｏｍ Ａｃｃｅｓｓ Ｍｅｍｏｒｙ）が含まれてもよいが、両方ともこれに限定されないものではない。例えば、ＲＡＭは、ＳＲＡＭ(ｓｙｎｃｈｒｏｎｏｕｓ ＲＡＭ）、ＤＲＡＭ（Ｄｙｎａｍｉｃ ＲＡＭ）、ＳＤＲＡＭ（Ｓｙｎｃｈｒｏｎｏｕｓ Ｄｙｎａｍｉｃ ＲＡＭ）、ＤＤＲ ＳＤＲＡＭ（Ｄｏｕｂｌｅ−Ｄａｔａ−Ｒａｔｅ ＳＤＲＡＭ）、ＥＳＤＲＡＭ（Ｅｎｈａｎｃｅｄ ＳＤＲＡＭ）、ＳＬＤＲＡＭ（Ｓｙｎｃｈｒｏｎｏｕｓ ｌｉｎｋ ＲＡＭ）及びＤＲＲＡＭ（Ｄｉｒｅｃｔ Ｒａｍｂｕｓ ＲＡＭ）などの多くの形式により実現可能であるが、これに限定されないものではない。ここで上記の記録媒体を開示するのは、本発明の保護範囲にこれらの記録媒体及び他の適したタイプの記録媒体を含ませるためであって、これらのみに限定されないことを意図する。
【００９６】  当業者は、更に、本発明に記載の種々の例示的な論理ブロック、モジュール、回路、及びアルゴリズムステップが、電子ハードウェア、コンピュータソフトウェア、又は両者の組み合わせにより実現され得る、ことを理解すべきである。ハードウェアとソフトウェアの間のこのような互換性を明確に説明するために、種々の例示的なコンポーネント、ブロック、モジュール、回路、及びステップの機能について、以上において通常的な説明を行っている。このような機能が、ソフトウェアにより実現されるか、又は、ハードウェアにより実現されるかは、具体的なアプリケーション、及びシステム全体に課される設計上の制約により選択される。当業者は、具体的なアプリケーションそれぞれにおいて、様々な方式を選択して前記機能を実現してもよく、このような選択は、本発明の範囲を逸脱したものとして解釈されるべきではない。
【００９７】  以上の開示内容に結び付けられて説明される種々の例示的な論理ブロック、モジュール、及び回路は、上述の機能を行なうように設計された汎用プロセッサ、ＤＳＰ（Ｄｉｇｉｔａｌ Ｓｉｇｎａｌ Ｐｏｃｅｓｓｏｒ）、特定用途向け集積回路（ＡＳＩＣ）、ＦＰＧＡ（Ｆｉｅｌｄ−ｐｒｏｇｒａｍｍａｂｌｅ Ｇａｔｅ Ａｒｒａｙ）または他のプログラム可能な論理デバイス、ディスクリートゲートまたはトランジスタロジック、ディスクリートハードウェアコンポーネント、或いは、これら部材の任意の組み合わせによって、実現又は実行されることができる。汎用プロセッサは、マイクロプロセッサであってもよいが、マイクロプロセッサの代わりに、プロセッサは任意の従来のプロセッサ、コントローラ、マイクロコントローラ、又は状態機械であってもよい。プロセッサは、例えば、ＤＳＰとマイクロプロセッサの組み合わせ、複数のマイクロプロセッサ、ＤＳＰコアと１つ又は複数のマイクロプロセッサの組み合わせ、或いは任意のこのような他の構成といった、コンピューティングデバイスの組み合わせとして実現されてもよい。
【００９８】  以上の開示内容に結び付けられて説明される方法、又は、アルゴリズムのステップは、ハードウェア、プロセッサによって実行されるソフトウェアモジュール、又はこの両者の組合せに直接的に含まれる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該分野において公知の他の形態で存在する任意の記憶媒体に格納されてもよい。例示的な記憶媒体は、プロセッサが記憶媒体から情報を読み出すことができ、且つ、プロセッサが記憶媒体に情報を書き込むことができるように、プロセッサに結合される。代案として、前記記憶媒体はプロセッサと一体的に集積されてもよい。プロセッサと記憶媒体はＡＳＩＣに格納されてもよい。ＡＳＩＣはユーザー端末に格納されてもよい。代案として、プロセッサと記憶媒体は別個のコンポーネントとしてユーザー端末に格納されてもよい。
【００９９】  １つ又は複数の例示的な設計として、前記機能はハードウェア、ソフトウェア、ファームウェア又はこれらの任意の組み合わせによって実現されることができる。ソフトウェアにより実現される場合、前記機能を１つ又は複数の指令、又はコードとしてコンピュータ読取り可能な媒体に記憶するか、又は、コンピュータ読取り可能な媒体を用いて伝送する。コンピュータ読取り可能な媒体は、コンピュータ記憶媒体及び通信媒体を含み、該通信媒体には、コンピュータプログラムを１つの位置から他の位置へ伝送するための任意の媒体が含まれる。記憶媒体は、汎用又は専用コンピュータによりアクセス可能な任意の使用可能媒体であり得る。例として、当該コンピュータ読取り可能な媒体は、ＲＡＭ、ＲＯＭ、ＥＥＰＲＯＭ、ＣＤ−ＲＯＭ又は他の光ディスク記憶デバイス、ディスク記憶デバイス又は他の磁性記憶デバイスを含んでもよく、或いは、携帯できるもの、又は記憶形態が指令又はデータ構造である必要なプログラムコードを記憶するためのもので、且つ、汎用又は専用コンピュータ或いは汎用又は専用プロセッサアクセスによりアクセス可能な任意の他の媒体であり得るが、これに限定されるものではない。なお、任意の接続であっても、コンピュータ読取り可能な媒体として称されることができる。例えば、同軸ケーブル、光ファイバケーブル、ツイストペア、デジタル加入者回線（ＤＳＬ）、又は、赤外線、ワイヤレス及びマイクロ波のような無線技術を用いて、ウェブサイト、サーバ又は他のリモートソースからソフトウェアを送信する場合、上記の同軸ケーブル、光ファイバケーブル、ツイストペア、ＤＳＬ、又は、赤外線、ワイヤレス及びマイクロ波のような無線技術の何れもが媒体の定義に含まれる。以上の磁気ディスク及び光ディスクは、ＣＤ（ｃａｍｐａｃｔ ｄｉｓｋ）、レーザーディスク（登録商標）、光ディスク、ＤＶＤ（ｄｉｇｉｔａｌ ｖｅｒｓａｔｉｌｅ ｄｉｓｃ）、フロッピー・ディスク（登録商標）、ブルーレイディスクを含み、磁気ディスクは、通常磁性を利用してデータの再生を行なうものであり、光ディスクは、レーザ光を用いて光学的にデータの再生を行なうものである。また、以上の構成の組合わせもコンピュータ読取り可能な媒体の範囲に含まれるべきである。
【０１００】  以上の開示内容により、本発明の実施例を例示的に示しているが、請求項により限定される本発明の範囲を逸脱しない限り、多種の変更及び修正を行うことができる。以上に開示された実施例に基づく方法請求項の機能、ステップ及び／又はジェスチャーは、ある特定の手順で実行する必要はない。なお、本発明に係る要素は、個体として記載又は要求されているが、単数であると明確に限定されていない限り、複数であってもよい。
【０１０１】  上記の具体的な実施形態において、本発明の目的、技術案及び有益な効果について更に詳細に説明しているが、上記の内容は、本発明の具体的な実施形態であって、本発明の保護範囲に対する限定ではなく、本発明の趣旨及び原則範囲内で行われる任意の修正、均等の取替、改良などは、その何れも本発明の保護範囲に含まれるべきである、ということは理解されるべきである。
【０１０２】  本願は、出願番号がＣＮ２０１３１０４５６２７０．９であって、出願日が２０１３年９月２９日である中国特許出願に基づき優先権を主張し、当該中国特許出願のすべての内容を本願に援用する。
【手続補正２】
【補正対象書類名】特許請求の範囲
【補正対象項目名】全文
【補正方法】変更
【補正の内容】
【特許請求の範囲】
【請求項１】
メッセージ表示画面に対する、２つの端点を含む第１の所定ジェスチャーを検出するステップと、  前記メッセージ表示画面における、前記２つの端点の間のメッセージを処理するステップと、を含むことを特徴とするメッセージ表示方法。
【請求項２】
前記第１の所定ジェスチャーは、ピンチインジェスチャー、２本の指によるタップジェスチャー、又は単方向へのスライドジェスチャーを含むことを特徴とする請求項１に記載の方法。
【請求項３】
前記メッセージ表示画面における、前記２つの端点の間のメッセージに対して行う処理は、  前記メッセージ表示画面における、前記２つの端点の間のメッセージを非表示にする処理、  前記メッセージ表示画面における、前記２つの端点の間のメッセージを削除する処理、又は、  前記メッセージ表示画面における、前記２つの端点の間のメッセージを一括表示する処理、を含むことを特徴とする請求項１に記載の方法。
【請求項４】
前記メッセージ表示画面における、前記２つの端点の間のメッセージを非表示にする処理は、前記メッセージ表示画面における、前記２つの端点の間のメッセージを畳んで表示する処理を含むことを特徴とする請求項３に記載の方法。
【請求項５】
前記メッセージ表示画面における、前記２つの端点の間のメッセージに対して行う処理が前記メッセージ表示画面における、前記２つの端点の間のメッセージを非表示にする処理である場合、前記方法は、さらに、  非表示処理された後の前記メッセージ表示画面に対する第２の所定ジェスチャーを受けるステップと、  前記メッセージ表示画面から非表示されたメッセージを表示するステップと、を含むことを特徴とする請求項３に記載の方法。
【請求項６】
前記第２の所定ジェスチャーは、ピンチアウトジェスチャー、タップジェスチャー、又は長時間タッチジェスチャーを含むことを特徴とする請求項５に記載の方法。
【請求項７】
メッセージ表示画面に対する、２つの端点を含む第１の所定ジェスチャーを検出するための第１の検出モジュールと、  前記メッセージ表示画面における、前記２つの端点の間のメッセージを処理するための第１の処理モジュールと、を備えることを特徴とするメッセージ表示装置。
【請求項８】
前記第１の所定ジェスチャーは、ピンチインジェスチャー、２本の指によるタップジェスチャー、又は単方向へのスライドジェスチャーを含むことを特徴とする請求項７に記載の装置。
【請求項９】
前記第１の処理モジュールは、  前記メッセージ表示画面における、前記２つの端点の間のメッセージを非表示にするための第１の処理ユニット、  前記メッセージ表示画面における、前記２つの端点の間のメッセージを削除するための第２の処理ユニット、又は、  前記メッセージ表示画面における、前記２つの端点の間のメッセージを一括表示するための第３の処理ユニット、を備えることを特徴とする請求項７に記載の装置。
【請求項１０】
前記第１の処理ユニットは、前記メッセージ表示画面における、前記２つの端点の間のメッセージを畳んで表示するためのものであることを特徴とする請求項９に記載の装置。
【請求項１１】
前記装置は、さらに、  非表示処理された後の前記メッセージ表示画面に対する第２の所定ジェスチャーを検出するための第２の検出モジュールと、  前記メッセージ表示画面から非表示されたメッセージを表示するための第２の処理モジュールと、を備えることを特徴とする請求項９に記載の装置。
【請求項１２】
前記第２の所定ジェスチャーは、ピンチアウトジェスチャー、タップジェスチャー、又は長時間タッチジェスチャーを含むことを特徴とする請求項１１に記載の装置。
【請求項１３】
メモリと、  前記メモリに記憶され、１つ又は１つ以上のプロセッサにより実行される１つ又は１つ以上のプログラムと、を含み、  前記１つ又は１つ以上のプログラムは、  メッセージ表示画面に対する、２つの端点を含む第１の所定ジェスチャーを検出する操作と、  メッセージ表示画面における、前記２つの端点の間のメッセージを処理する操作と、を実行する指令を含むことを特徴とする端末装置。
【請求項１４】
プロセッサに実行されることにより、請求項１乃至６のいずれか１項に記載のメッセージ表示方法を実現することを特徴とするプログラム。
【請求項１５】
請求項１４に記載のプログラムが記録された記録媒体。
【国際調査報告】
2016500177.tif 000028
2016500177.tif 000029
2016500177.tif 000030
2016500177.tif 000031